(57)【要約】【課題】学習者の学習意欲を向上させることが可能な学習支援システム、学習支援方法、及びサーバを提供する。【解決手段】ネットワークＮにより接続されたサーバ１と少なくとも一の学習者端末２とを備えた学習支援システム１０であって、サーバ１は、各学習者の学習の進捗状況に基づき各学習者にポイントを付与し、各学習者に付与された前記ポイントに基づき、複数の領域に区分された全体領域の中の所定領域に各学習者を対応付け、学習者分布を決定する制御部１３と、を備え、少なくとも一の学習者端末２は、サーバ１から自己が対応付けられた前記所定領域及び学習者分布に係る情報を受信する通信部２１と、所定領域及び学習者分布を全体領域とともに表示する表示部２３と、を備える。【選択図】図７
2017215911.tif 000002
【特許請求の範囲】
【請求項１】
ネットワークにより接続されたサーバと少なくとも一の学習者端末とを備えた学習支援システムであって、
前記サーバは、
各学習者の学習の進捗状況に基づき各学習者にポイントを付与し、各学習者に付与された前記ポイントに基づき、複数の領域に区分された全体領域の中の所定領域に各学習者を対応付け、学習者分布を決定する制御部と、
を備え、
前記少なくとも一の学習者端末は、
前記サーバから自己が対応付けられた前記所定領域及び前記学習者分布に係る情報を受信する通信部と、
前記情報に基づき、前記所定領域及び前記学習者分布を前記全体領域とともに表示する表示部と、
を備える、学習支援システム。
【請求項２】
前記複数の領域は順番が対応付けられており、
前記制御部は、前記学習者が提出物を提出した場合に前記ポイントを該学習者に付与し、該学習者が所定量のポイントを獲得する毎に該学習者を次の順番の領域に前記学習者を対応付け、
前記表示部は、前記サーバから受信した前記ポイントに係る情報に基づき自己の保有するポイントを表示する、請求項１に記載の学習支援システム。
【請求項３】
前記表示部は、第一所定期間に獲得した総ポイント及び、前記第一所定期間とは異なる第二所定期間に獲得した総ポイントを表示する、請求項２に記載の学習支援システム。
【請求項４】
前記表示部は、前記学習者分布を色彩により表示する、請求項１乃至３の何れか一項に記載の学習支援システム。
【請求項５】
前記表示部はさらに、前記所定領域に関連付けられた関連情報を表示する、請求項１乃至４のいずれか一項に記載の学習支援システム。
【請求項６】
前記複数の領域には地名が対応付けられ、前記表示部は前記全体領域を地図により表示し、
前記関連情報は、地理的情報である、請求項５に記載の学習支援システム。
【請求項７】
前記少なくとも一の学習者端末は、前記複数の領域のうち前記所定領域を除くいずれかの領域に対するユーザ操作を受け付け、選択された領域がこれまで経由したことのある領域であるか否かを前記所定領域に係る情報に基づき判定し、経由済みの領域である場合は前記選択された領域に関連付けられた関連情報を前記表示部が表示することを特徴とする、請求項５又は６に記載の学習支援システム。
【請求項８】
前記表示部は、自己の受講開始日から所定範囲内の学習者のみの学習者分布を表示することを特徴とする、請求項１乃至７のいずれか一項に記載の学習支援システム。
【請求項９】
前記表示部は、学習の進捗スピードに係る情報を表示することを特徴とする、請求項１乃至８のいずれか一項に記載の学習支援システム。
【請求項１０】
ネットワークにより接続されたサーバと少なくとも一の学習者端末とを備えた学習支援システムによる学習支援方法であって、
前記サーバが、
各学習者の学習の進捗状況に基づき各学習者にポイントを付与し、各学習者に付与された前記ポイントに基づき、複数の領域に区分された全体領域の中の所定領域に各学習者を対応付け、学習者分布を決定するステップと、
前記少なくとも一の学習者端末が、
前記サーバから自己が対応付けられた前記所定領域及び前記学習者分布に係る情報を受信するステップと、
前記情報に基づき、前記所定領域及び前記学習者分布を前記全体領域とともに表示するステップと、
を備える、学習支援方法。
【請求項１１】
ネットワークにより接続されたサーバと少なくとも一の学習者端末とを備えた学習支援システムにおけるサーバであって、
各学習者の学習の進捗状況に基づき前記学習者に付与するポイントに係るポイント情報を記憶する記憶部と、
各学習者に付与された前記ポイントに基づき、複数の領域に区分された全体領域の中の所定領域に各学習者を対応付け、学習者分布を決定する制御部と、
前記少なくとも一の学習者端末に、自己が対応付けられた前記所定領域及び前記学習者分布に係る情報を送信し、前記情報に基づき、前記所定領域及び前記学習者分布を前記全体領域とともに表示させる通信部と、
を備える、サーバ。
【発明の詳細な説明】
【技術分野】
【０００１】
本発明は、学習支援システム、学習支援方法、及びサーバに関する。
【背景技術】
【０００２】
従来の通信教育では、学習者が提出物を郵送等により送付し、学習指導者が提出物を添削して返送する仕組みを採用している。学習者の学習意欲を高めるために、従来は、学習者が課題を終える度に貼付するシール等により学習意欲を喚起していた（例えば非特許文献１）。
【先行技術文献】
【非特許文献】
【０００３】
【非特許文献１】株式会社Ｚ会、“学習計画を立てて、見直す練習を！：学習Topic一覧：さぽナビ”、２０１６年５月３０日、[online]、[２０１６年５月３０日検索]、インターネット<URL:  http://www.zkai.co.jp/el/saponavi_n/o41e710000001izg.html>
【発明の概要】
【発明が解決しようとする課題】
【０００４】
しかしながら通信教育では通常、学習者は自宅等において一人で学習するため、孤独に陥り、学習者の学習意欲が低下する可能性があった。
【０００５】
従って上記のような問題点に鑑みてなされた本発明の目的は、学習者の学習意欲を向上させることが可能な学習支援システム、学習支援方法、及びサーバを提供することにある。
【課題を解決するための手段】
【０００６】
上記課題を解決するために本発明の一実施形態に係る学習支援システムは、
ネットワークにより接続されたサーバと少なくとも一の学習者端末とを備えた学習支援システムであって、
前記サーバは、
各学習者の学習の進捗状況に基づき各学習者にポイントを付与し、各学習者に付与された前記ポイントに基づき、複数の領域に区分された全体領域の中の所定領域に各学習者を対応付け、学習者分布を決定する制御部と、
を備え、
前記少なくとも一の学習者端末は、
前記サーバから自己が対応付けられた前記所定領域及び前記学習者分布に係る情報を受信する通信部と、
前記情報に基づき、前記所定領域及び前記学習者分布を前記全体領域とともに表示する表示部と、
を備えることを特徴とする。
【０００７】
また本発明の一実施形態に係る学習支援システムは、
前記複数の領域は順番が対応付けられており、
前記制御部は、前記学習者が提出物を提出した場合に前記ポイントを該学習者に付与し、該学習者が所定量のポイントを獲得する毎に該学習者を次の順番の領域に前記学習者を対応付け、
前記表示部は、前記サーバから受信した前記ポイントに係る情報に基づき自己の保有するポイントを表示することを特徴とする。
【０００８】
また本発明の一実施形態に係る学習支援システムは、
前記表示部が、第一所定期間に獲得した総ポイント及び、前記第一所定期間とは異なる第二所定期間に獲得した総ポイントを表示することを特徴とする。
【０００９】
また本発明の一実施形態に係る学習支援システムは、
前記表示部が、前記学習者分布を色彩により表示することを特徴とする。
【００１０】
また本発明の一実施形態に係る学習支援システムは、
前記表示部がさらに、前記所定領域に関連付けられた関連情報を表示することを特徴とする。
【００１１】
また本発明の一実施形態に係る学習支援システムは、
前記複数の領域には地名が対応付けられ、前記表示部は前記全体領域を地図により表示し、
前記関連情報は、地理的情報であることを特徴とする。
【００１２】
また本発明の一実施形態に係る学習支援システムは、
前記少なくとも一の学習者端末が、前記複数の領域のうち前記所定領域を除くいずれかの領域に対するユーザ操作を受け付け、選択された領域がこれまで経由したことのある領域であるか否かを前記所定領域に係る情報に基づき判定し、経由済みの領域である場合は前記選択された領域に関連付けられた関連情報を前記表示部が表示することを特徴とする。
【００１３】
また本発明の一実施形態に係る学習支援システムは、
前記表示部が、自己の受講開始日から所定範囲内の学習者のみの学習者分布を表示することを特徴とする。
【００１４】
また本発明の一実施形態に係る学習支援システムは、
前記表示部が、学習の進捗スピードに係る情報を表示することを特徴とする。
【００１５】
また、本発明の一実施形態に係る学習支援方法は、
ネットワークにより接続されたサーバと少なくとも一の学習者端末とを備えた学習支援システムによる学習支援方法であって、
前記サーバが、
各学習者の学習の進捗状況に基づき各学習者にポイントを付与し、各学習者に付与された前記ポイントに基づき、複数の領域に区分された全体領域の中の所定領域に各学習者を対応付け、学習者分布を決定するステップと、
前記少なくとも一の学習者端末が、
前記サーバから自己が対応付けられた前記所定領域及び前記学習者分布に係る情報を受信するステップと、
前記情報に基づき、前記所定領域及び前記学習者分布を前記全体領域とともに表示するステップと、
を備えることを特徴とする。
【００１６】
また、本発明の一実施形態に係るサーバは、
ネットワークにより接続されたサーバと少なくとも一の学習者端末とを備えた学習支援システムにおけるサーバであって、
各学習者の学習の進捗状況に基づき前記学習者に付与するポイントに係るポイント情報を記憶する記憶部と、
各学習者に付与された前記ポイントに基づき、複数の領域に区分された全体領域の中の所定領域に各学習者を対応付け、学習者分布を決定する制御部と、
前記少なくとも一の学習者端末に、自己が対応付けられた前記所定領域及び前記学習者分布に係る情報を送信し、前記情報に基づき、前記所定領域及び前記学習者分布を前記全体領域とともに表示させる通信部と、
を備えることを特徴とする。
【発明の効果】
【００１７】
本発明の一実施形態に係る学習支援システム、学習支援方法、及びサーバによれば、学習者の学習意欲を向上させることができる。
【図面の簡単な説明】
【００１８】
【図１】本発明の一実施形態に係る学習支援システムの概要図である。
【図２】本発明の一実施形態に係る学習支援システムのサーバのブロック図である。
【図３】本発明の一実施形態におけるユーザ情報の一例である。
【図４】本発明の一実施形態における領域情報の一例である。
【図５】本発明の一実施形態に係る学習支援システムの学習者端末のブロック図である。
【図６】学習者端末に表示されるホーム画面の一例である。
【図７】学習者端末に表示される進捗状況画面の一例である。
【図８】進捗状況画面の経由地のプロットを選択した場合の表示画面の一例である。
【図９】進捗状況画面の未経由地のプロットを選択した場合の表示画面の一例である。
【図１０】本発明の一実施形態におけるサーバの動作を示すフローチャートである。
【発明を実施するための形態】
【００１９】
以下、本発明の実施の形態について説明する。
【００２０】
（実施の形態）
図１は本発明の一実施形態に係る学習支援システム１０の概要図である。本発明の一実施形態に係る学習支援システム１０は、サーバ１と複数の学習者端末２ａ〜２ｃとを備える。以下、複数の学習者端末２ａ〜２ｃを区別しない場合には、これらをまとめて学習者端末２と記す。サーバ１と複数の学習者端末２とは、例えばインターネット等のネットワークＮにより接続される。なお図１では、簡便のため学習者端末２を３台示しているが、学習者端末数はこれに限られず、任意の台数の学習者端末２が備えられてもよく、一台であってもよい。
【００２１】
サーバ１は、例えば通信教育の運営者が管理するサーバ装置等の情報処理装置であって、通信教育の利用者（以下、学習者という。）が各々保有する学習者端末２に対して通信教育に係るサービスを提供する。学習者端末２は、学習者が用いるタブレット端末、スマートフォン、パーソナルコンピュータ等の情報処理装置であって、サーバ１から提供されるサービスを実行する。このようにサーバ１及び学習者端末２が協働して、学習者端末２を保有する学習者に通信教育を提供し、学習を支援する。
【００２２】
ここで本実施形態に係る学習支援システム１０による学習支援の概要について説明する。本システムでは、学習者が学習して解答等を提出する等のアクション（以下、学習アクションという。）を行なった場合、当該学習者にサーバ１が１ポイント付与する。すなわちサーバ１は、各学習者の学習の進捗状況（到達度）に基づき各学習者にポイントを付与する。
【００２３】
そして学習者が獲得した年間の獲得ポイントに応じて、双六の駒を進める形式にて学習の進捗状況を可視化する。具体的には、学習者が所定量のポイント（例えば４８ポイント）を獲得する毎に、複数の領域に区分された全体領域のうち、スタートの領域からゴールの領域に向けて学習者を示すオブジェクト（以下、駒ともいう。）を１領域ずつ進める。学習者は、学習者端末２により表示された全体領域及び自己の駒が位置する領域（以下、所定領域又は現在地ともいう。）により、自己の学習の進捗状況を把握することができる。
【００２４】
また学習者端末２は、自己以外の他の学習者の情報も同時に表示する。具体的には各領域に位置する同学年の他学習者の人数分布が把握可能なように表示される。これにより、各学習者が他者の存在を意識できて孤独感が低減されると共に、他の学習者の到達度を各学習者に把握させることで一定の競争意識を働かせ、学習意欲を向上させることができる。
【００２５】
本実施の形態では一例として、各領域が地名に対応付けられる場合について説明する。この場合、例えば全体領域を日本地図に対応させ、各領域を４７都道府県に対応させる。そして例えばスタートの領域は沖縄県とし、ゴールの領域は北海道とする。学習者端末２は、日本地図を表示し、学習者は自己の駒が位置する都道府県により自己の学習の進捗状況を把握できる。
【００２６】
次に、学習支援システム１０の各構成要素について具体的に説明する。
【００２７】
（サーバ１の構成）
まずサーバ１について説明する。図２に、サーバ１のブロック図を示す。サーバ１は、サーバ通信部１１と、サーバ記憶部１２と、サーバ制御部１３とを備える。サーバ通信部１１と、サーバ記憶部１２と、サーバ制御部１３とは、バス１４によりそれぞれ接続されている。なおサーバ１はこれらの各構成要素を複数設けてもよく、サーバ１の各機能に応じて適宜使い分けてもよい。またサーバ１自体を複数のサーバ装置により構成してもよい。
【００２８】
サーバ通信部１１は、外部装置と無線又は有線によって通信し、情報の送受信を行うインターフェースである。本実施形態において、サーバ通信部１１は、ネットワークＮを介して、学習者端末２との間で情報を相互に送受信可能である。
【００２９】
サーバ記憶部１２は、例えば一次記憶装置及び二次記憶装置を含み、通信教育の提供及び制御に必要な種々の情報及びプログラムを記憶する。例えばサーバ記憶部１２は、学習者に係る情報（以下、学習者情報という。）と、学習者が対応付けられる所定領域に係る情報（以下、領域情報という。）とを記憶する。
【００３０】
（学習者情報）
学習者情報は、各学習者に固有の任意の情報を含む。本実施形態において、学習者情報は、例えば図３に示すように、学習者ＩＤと、学年と、受講開始日と、年間獲得ポイントと、月間獲得ポイントと、領域ＩＤとを含む。つまり各学習者ＩＤに、学年と、受講開始日と、年間獲得ポイントと、月間獲得ポイントと、領域ＩＤとが対応付けられている。
【００３１】
学習者ＩＤは、学習者を一意に識別可能な情報である。学年は、学習者の就学段階である。受講開始日は、学習者が通信教育の教材（コース）受講を開始した年月日である。
【００３２】
年間獲得ポイントは、学習者が現在の年度に獲得した合計のポイント数である。当該値は年度毎に０にリセットされる。なお年間獲得ポイントは、本発明の第一所定期間に獲得した総ポイントに対応する。なお第一所定期間は１年間に限らず、１年より長くても短くてもよい。例えば第一所定期間を半年としてもよい。
【００３３】
月間獲得ポイントは、学習者が現在の月に獲得した合計のポイント数である。当該値は月毎に０にリセットされる。なお月間獲得ポイントは、本発明の第二所定期間に獲得した総ポイントに対応する。なお、第二所定期間は１ヶ月に限らず、１ヶ月より長くても短くてもよい。例えば第一所定期間を２ヶ月としてもよい。ここで本実施の形態では、月間獲得ポイントは、当該月の学習分のみに係る獲得ポイントとしている。例えば先行して学習した翌月の学習分に係るポイントは含まれない。同様に、先月の学習分に係るポイントは含まれない。すなわち、月間獲得ポイントは、当該月の学習分の進捗状況を表す数値としている。このように月間獲得ポイントを設定することにより、月間の目標管理を行いやすくしている。また、当該月の学習分に係るポイントに限定することで、ある月に取り組むべき学習教材を、当該月に学習する習慣（例えば４月号の教材を、４月に取り組む学習習慣）を身につけさせることができる。
【００３４】
領域ＩＤは、領域を一意に識別可能な情報であり、学習者情報に含まれる領域ＩＤにより、各学習者が対応付けられている所定領域が特定される。例えば図３において、学習者ＩＤが「Ｕ００１」の学習者は、領域ＩＤが「Ｒ００６」の領域に対応付けられていることを示す。
【００３５】
（領域情報）
領域情報は、各領域に固有の任意の情報を含む。本実施形態において領域情報は、例えば図４に示すように、領域ＩＤと、領域名と、順番と、学習者数と、学習者数の評価と、関連情報とを含む。つまり各領域ＩＤに、地理的名称と、学習者数と、学習者数の評価と、関連情報とが対応付けられている。なお領域情報は、学習者の学年毎に設けられる。図４に示す領域情報は、小学２年生の領域情報である。
【００３６】
領域名は、各領域の名称を示す情報である。本実施の形態では、各領域が４７都道府県に対応するため、領域名は都道府県名である。
【００３７】
順番は、各学習者が対応付けられる所定領域を決める経路（駒を進める経路）を示す情報である。本実施の形態では、１から４７までの順番に沿って、スタートの沖縄県（領域ＩＤ：Ｒ００１）からゴールの北海道（領域ＩＤ：Ｒ０４７）まで学習者の駒を進める。
【００３８】
学習者数は、各領域に対応付けられている学習者の人数の情報である。
【００３９】
学習者数の評価は、各領域に対応付けられている学習者の人数に基づき決定する情報である。例えば学習者数の評価は、各領域の人数が多いか少ないかを示し、「少ない」、「中程度」及び「多い」の３段階の値とすることができる。３段階で評価する場合、第一閾値（例えば１００人）未満であるとき、評価を「少ない」とする。また第一閾値以上で、第二閾値（例えば３００人）未満であるとき、評価を「中程度」とする。第二閾値以上であるとき、評価を「多い」とする。なお第一閾値及び第二閾値の値はいずれも一例であり、全体の母数に応じて適宜調整してもよい。なお、学習者数の評価を３段階としたがこれに限られない。２段階でもよく、４段階以上であってもよい。
【００４０】
関連情報は、各領域に固有の任意の関連情報である。本実施の形態では、各都道府県の地理的情報等である。
【００４１】
サーバ制御部１３は、専用又は汎用のプロセッサを含む。サーバ制御部１３は、サーバ１全体の動作を制御する。例えばサーバ制御部１３は、サーバ通信部１１によりネットワークＮを介して情報の送受信を行う。またサーバ制御部１３は、上述した学習者情報、及び領域情報を、サーバ記憶部１２に記憶させる。またサーバ制御部１３は、種々の処理を行う。以下、種々の処理について具体的に説明する。
【００４２】
サーバ制御部１３は、各学習者の学習の進捗状況に基づき各学習者にポイントを付与する。具体的には、学習者が学習して解答等を提出する等の学習アクションを行なった場合、サーバ制御部１３は、少なくとも１ポイントを該学習者に付与する。サーバ制御部１３は、学習アクションを行なった学習者の学習者ＩＤに対応付けられた年間獲得ポイント及び月間獲得ポイントを更新してサーバ記憶部１２に記憶させる。なお付与するポイント数は、学習アクションの種類によって異なる。
【００４３】
またサーバ制御部１３は、各学習者に付与されたポイントに基づき、所定領域に各学習者を対応付ける。具体的にはサーバ制御部１３は、学習者が所定量のポイント（例えば４８ポイント）を獲得する毎に、学習者情報に含まれる領域ＩＤを更新する。サーバ制御部１３は、スタートの領域（沖縄県、領域ＩＤ：Ｒ００１）からゴールの領域（北海道、領域ＩＤ：Ｒ０４７）に向けて、領域情報の順番に沿って所定領域を示す領域ＩＤを更新する。例えばサーバ制御部１３は、年間獲得ポイントが０ポイントだった学習者が４８ポイント獲得した場合、当該学習者に対応付ける所定領域を、順番が１の沖縄県（領域ＩＤ：Ｒ００１）から順番が２の鹿児島県（領域ＩＤ：Ｒ００２）に更新して、サーバ記憶部１２に記憶させる。さらに当該学習者が４８ポイント獲得した場合（年間獲得ポイントが９６ポイントとなった場合）、当該学習者に対応付ける所定領域を、順番が２の鹿児島県（領域ＩＤ：Ｒ００２）から、順番が３の宮崎県（領域ＩＤ：Ｒ００３）に更新して、サーバ記憶部１２に記憶させる。このようにサーバ制御部１３は、学習者が所定量のポイントを獲得する毎に、学習者の現在地を次の領域に更新していく。
【００４４】
またサーバ制御部１３は、学習者情報の領域ＩＤが更新された場合、更新された学習者の学年に係る領域情報を更新する。具体的にはサーバ制御部１３は、領域情報の各領域に対応付けられた学習者数を更新する。このように、サーバ制御部１３は各領域に対応付けられた学習者数をリアルタイムに更新する。さらにサーバ制御部１３は、領域情報の学習者数を更新した場合、学習者数の評価を領域毎に決定する。具体的にはサーバ制御部１３は、更新後の各領域の学習者数と、第一閾値及び／又は第二閾値とを比較し、「少ない」、「中程度」又は「多い」の３段階の値のいずれの評価とするかを決定する。決定結果に基づきサーバ制御部１３は、領域情報に含まれる学習者数の評価を更新して、サーバ記憶部１２に記憶させる。
【００４５】
またサーバ制御部１３は、学習者端末２からの情報要求に基づき、情報要求に係る学習者の獲得ポイント数、対応付けられた所定領域及び学習者分布に係る情報をサーバ通信部１１により学習者端末２に送信する。なお情報要求には学習者を特定する情報（例えば学習者ＩＤ等）が含まれ、サーバ制御部１３は学習者ＩＤ等に基づき、学習者の獲得ポイント数及び学習者が対応付けられた所定領域に係る情報を特定して送信する。学習者分布とは、同学年の全学習者の学習進捗状況の分布である。学習者分布に係る情報とは、各領域の学習者数の評価の情報である。
【００４６】
（学習者端末２の構成）
次に、学習者端末２について説明する。図５に、学習者端末２のブロック図を示す。学習者端末２は、端末通信部２１と、端末記憶部２２と、表示部２３と、入力部２４と、端末制御部２５とを備える。端末通信部２１と、端末記憶部２２と、表示部２３と、入力部２４と、端末制御部２５とは、バス２６によりそれぞれ接続されている。
【００４７】
端末通信部２１は、外部装置と無線又は有線によって通信し、情報の送受信を行うインターフェースである。本実施形態において、端末通信部２１は、ネットワークＮを介して、サーバ１との間で情報を相互に送受信可能である。
【００４８】
端末記憶部２２は、例えば一次記憶装置及び二次記憶装置を含み、サーバ１から提供される種々の情報及び情報処理に必要なプログラムを記憶する。例えば、端末記憶部２２は、通信教育に係る学習用のアプリケーション（以下、学習アプリケーションともいう。）を記憶する。学習アプリケーションは、例えばネットワークＮを介して所定の配信サーバから取得可能である。学習アプリケーションが実行（起動）された状態で、学習者端末２の本実施形態に係る動作が実現される。
【００４９】
表示部２３は、例えば液晶ディスプレイ又は有機ＥＬディスプレイ等の表示デバイスであって、多様な画面を表示可能である。
【００５０】
入力部２４は、例えば表示部２３と一体的に設けられたタッチパネルを含む入力インターフェースであって、学習者端末２に対する学習者のタップ等の操作（以下、ユーザ操作ともいう。）を受付可能である。
【００５１】
端末制御部２５は、専用又は汎用のプロセッサを含む。端末制御部２５は、学習者端末２全体の動作を制御する。例えば端末制御部２５は、端末通信部２１によりネットワークＮを介して情報の送受信を行う。また端末制御部２５は、学習者の操作に応じて学習アプリケーションを実行（起動）する。
【００５２】
また端末制御部２５は、種々の情報処理を行う。以下、種々の情報処理について具体的に説明する。
【００５３】
例えば端末制御部２５は、学習アプリケーションのホーム画面を表示部２３に表示させる。図６に、学習者（学習者ＩＤ：Ｕ００１）の学習者端末２に表示されるホーム画面の一例を示す。ホーム画面は各種メニュー３０と、学習メニュー３１と、メッセージ領域３２と、ポイント表示領域３３とを含む。
【００５４】
各種メニュー３０は、例えば「エブリスタディ  アドバンスト」「学習カレンダー」、「提起面談」、「成績ランキング」、及び「情報ひろば」等を含み、学習者がユーザ操作を行なった場合、各コンテンツを表示する画面へ遷移する。すなわち、これらの各種メニュー３０へのユーザ操作があった場合、端末制御部２５は該当するコンテンツ画面を表示部２３に表示させる。
【００５５】
学習メニュー３１は、学習者が学習者端末２上で学習する教材、科目、及び単元等を選択するメニューである。学習メニュー３１へのユーザ操作があった場合、端末制御部２５は、学習教材、練習問題等を表示部２３に表示させる。また端末制御部２５は、練習問題等への解答に係るユーザ操作を、入力部２４により受付ける。また端末制御部２５は、解答提出に係るユーザ操作を、入力部２４により受付ける。このようにして学習者は学習者端末２上で学習し、解答提出等の学習アクションを行なう。
【００５６】
メッセージ領域３２は、通信教育の先生、保護者及び運営者からのメッセージ等を表示する領域である。
【００５７】
ポイント表示領域３３は、月間獲得ポイントを表示する領域である。学習者は、当該領域を確認することで容易に現時点の学習の進捗を把握することができる。ポイント表示領域３３は、タップすることにより、学習進捗を詳細に把握可能な進捗状況画面へ遷移可能である。端末制御部２５は、ポイント表示領域３３へのユーザ操作があった場合、進捗状況画面を表示部２３に表示させる。
【００５８】
進捗状況画面は、現時点での学習者分布を含む。ポイント表示領域３３へのユーザ操作があった場合、端末制御部２５はサーバ１に情報要求を送信し、学習者の獲得ポイント数、学習者が対応付けられた所定領域、及び学習者分布に係る情報を、サーバ１から受信する。
【００５９】
端末制御部２５は、サーバ１から受信した情報に基づき、学習者の獲得ポイント数、全体領域、所定領域、及び学習者分布を表示部２３に表示させる。進捗情報画面はこれらの情報を含む。すなわち端末制御部２５は、進捗状況画面を表示部２３に表示させることによってこれらの情報を提示する。
【００６０】
図７に学習者端末２の表示部２３が表示する進捗状況画面の一例を示す。図７に示す進捗状況画面は、月間獲得ポイント情報４１と、年間獲得ポイント情報４２と、全体領域４３と、各領域４４１〜４４Ｎと、各プロット４５１〜４５Ｎと、学習者が対応付けられた所定領域（現在地）を示すオブジェクト４６（駒４６）とを含む。なお図７に示す当該進捗状況画面は、学習者ＩＤがＵ００１の学習者に表示する画面である。
【００６１】
月間獲得ポイント情報４１は、サーバ１から受信した情報に基づき表示される、学習者の月間獲得ポイントに係る情報である。年間獲得ポイント情報４２は、サーバ１から受信した情報に基づき表示される、学習者の年間獲得ポイントに係る情報である。
【００６２】
図７に示すように全体領域４３及び各領域４４１〜４４Ｎは、それぞれ日本地図及び都道府県の形式で表示される。各領域４４１〜４４Ｎには、それぞれプロット４５１〜４５Ｎが対応付けられて表示される。なお全体領域４３及び各領域４４１〜４４Ｎを表示するための情報は、進捗状況画面を表示させる度にサーバ１が学習者端末２に送信してもよく、あるいは予め学習者端末２の端末記憶部２２に記憶していてもよい。
【００６３】
プロット４５１〜４５Ｎは、学習者分布に係る情報、すなわち各領域の学習者数の評価に基づき異なるパターンで表示されるオブジェクトである。端末制御部２５は、プロットのパターンを用いて、学習者分布を表示部２３に表示させる。このように本実施の形態では、学習者分布を人数そのものではなく、人数に基づき決定した評価に基づき簡易表示にしている。簡易的に表示することによって、学習者は学習者分布を容易に把握することができる。また、詳細な人数を表示しないため、必要以上に競争を煽らず、かつ、家庭での個別学習の場において、共に学ぶ他の学習者の存在を感じて孤独感を和らげることができる。
【００６４】
なおプロット４５１〜４５Ｎの表示を、各領域の学習者数の評価に基づき色分けし、色彩により表示してもよい。例えば、評価が「多い」である場合、赤色のプロットとする。評価が「中程度」である場合、黄色のプロットとする。評価が「少ない」である場合、青色のプロットとする。なお色彩は赤色、黄色、青色に限らず、如何なる色彩であってもよい。
【００６５】
学習者が対応付けられた所定領域（現在地：佐賀県）は、オブジェクト４６により示される。なお所定領域の表示方法はこれに限られず、所定領域の色を他の領域と変えて示してもよい。あるいは所定領域を表す境界線を太線にする等の強調表示をして示してもよい。
【００６６】
また、図７に示す進捗状況画面は、所定領域に関連付けられた関連情報４７を含む。図７では所定領域である佐賀県に関連付けられた関連情報４７が表示されている。図７に示すように例えば地理的情報（例えば写真、及び文章情報「佐賀県は有明海に面している県の一つ。有明海は「干潟」が有名で、写真のムツゴロウのようにめずらしい生きものが住んでいるよ。」）が表示される。なお関連情報４７は、進捗状況画面を学習者端末２に表示させる場合に、サーバ１が学習者端末２に送信してもよく、あるいは予め学習者端末２の端末記憶部２２に記憶されていてもよい。
【００６７】
さらに図７に示す進捗状況画面は、努力賞に係るポイント情報４８を含む。努力賞は、特定課題を提出することにより付与される、特別ポイントである。当該特別ポイントは別途賞品等と交換できるものであり、学習の目標にすることができる。ポイント情報４８は、進捗状況画面を学習者端末２に表示させる場合に、サーバ１が学習者端末２に送信する。
【００６８】
図７に示す進捗状況画面において、現在地以外のプロットがユーザ操作により選択された場合（例えばタップされた場合）、所定の遷移画面に遷移する。学習者がこれまで経由したことのある領域のプロットが選択された場合、当該領域の関連情報を表示する画面に遷移する。一方で、学習者がこれまで経由したことのない領域のプロットが選択された場合、所定のメッセージが表示される。学習者端末２の端末制御部２５は、学習者がこれまで経由したことのある領域のプロットが選択されるユーザ操作を検知した場合、当該領域の関連情報を表示部２３に表示させる。一方、学習者がこれまで経由したことのない領域のプロットが選択されるユーザ操作を検知した場合、所定のメッセージを表示部２３に表示させる。例えば学習者ＩＤが「Ｕ００１」の学習者の現在地はＲ００６（佐賀県）である。そのためこれまで経由した領域である沖縄県（領域ＩＤ：Ｒ００１）から長崎県（領域ＩＤ：Ｒ００５）のプロットが選択された場合、これらの領域の関連情報が表示される。端末制御部２５は、経由したことのある領域か否かを、例えば現在地の領域ＩＤの値により判定する。すなわち学習者端末２は、複数の領域のうち所定領域を除くいずれかの領域に対するユーザ操作を受け付け、選択された領域がこれまで経由したことのある領域であるか否かを、所定領域に係る情報（領域ＩＤ）に基づき判定する。このように既にサーバ１から受信した所定領域に係る情報を利用して、選択された領域が経由済みの領域であるか否かを判断することで、学習者端末２はサーバ１に新たに問い合わせずに判断可能であり、ユーザ操作に対する応答時間を短縮することができる。またサーバ１への新たな問い合せを行なわないため、通信リソースの消費を低減することができる。
【００６９】
図８は、熊本県を示すプロットがタップされた場合の遷移画面である。熊本県（領域ＩＤ：Ｒ００４）は、学習者がこれまで経由したことのある領域である。したがって図８に示す遷移画面では、選択された領域（熊本県）が関連付けられた関連情報４７ｂが表示される。このように一度経由した領域であれば、当該領域のプロットを選択することで関連情報を表示させることができる。
【００７０】
一方、図９は、東京都（領域ＩＤ：Ｒ０３５）を示すプロットがタップされた場合の遷移画面である。図９に示す遷移画面では、東京都を示すプロットがタップされた場合の遷移画面である。東京都は、学習者がこれまで経由したことの無い領域である。したがって図９に示す遷移画面では、ポップアップウィンドウ４９により、所定のメッセージが表示される。所定のメッセージは例えば、「この都道府県には行ったことがないからまだ見られないよ。」等である。
【００７１】
次に、本発明の一実施形態に係る学習支援システム１０のサーバ１について、図１０に示すフローチャートによりその動作を説明する。
【００７２】
はじめにサーバ制御部１３は、学習アクションが行なわれたか否かを判定する（ステップＳ１０）。学習アクションがあった場合、学習者のポイントを更新する（ステップＳ２０）。すなわちサーバ制御部１３は、学習アクションを行なった学習者の学習者ＩＤに対応付けられた年間獲得ポイント及び月間獲得ポイントを更新してサーバ記憶部１２に記憶させる。
【００７３】
続いてサーバ制御部１３は、学習者が所定量のポイントを獲得したか否かを判定する（ステップＳ３０）。サーバ制御部１３は、学習者が所定量のポイント（例えば４８ポイント）を獲得する毎に、学習者情報に含まれる領域ＩＤを更新し、現在地を更新する（ステップＳ４０）。
【００７４】
続いてサーバ制御部１３は、学習者情報の領域ＩＤが更新された場合、領域情報の各領域に対応付けられた学習者数を更新する（ステップＳ５０）。そしてステップＳ１０に戻り、ステップＳ１０からステップＳ５０の処理を繰り返し行う。サーバ制御部１３は、学習者端末２からの情報要求を受けた場合、情報要求に係る学習者が対応付けられた所定領域及び学習者分布に係る情報を学習者端末２に送信する。そのため学習者端末２はリアルタイムの学習者分布の情報を得て、進捗状況画面を表示部２３により表示することができる。
【００７５】
以上説明したように、本発明の一実施形態に係る学習支援システム１０によれば、学習者の学習の進捗状況に基づきポイントを付与し、自己及び他の学習者の進捗状況を、双六の形式で領域に対応付けて表示している。したがってゲーム感覚で楽しみながら学習を進めることが可能であり、また他の学習者とともに学びあう環境も醸成でき、学習者の学習意欲を向上させることができる。
【００７６】
また、本発明の一実施形態に係る学習支援システム１０によれば、学習者の獲得ポイントを表示している。学習者の駒を次の領域に進めるために必要なポイント数を容易に確認できる。このように自己の努力の成果が数値で目に見える形となるため、学習者の学習意欲をより向上させることができる。
【００７７】
また、本発明の一実施形態に係る学習支援システム１０によれば、第一所定期間（年間）に獲得した総ポイント及び、第二所定期間（月間）に獲得した総ポイントを表示している。そのため、例えば長期スパンと同時に短期スパンでの自己の学習の進捗状況を把握できる等、進捗状況をより客観的に把握することができ、学習者の学習意欲をさらに向上させることができる。
【００７８】
また、本発明の一実施形態に係る学習支援システム１０によれば、自己が対応付けられた所定領域の関連情報が表示される。例えば関連情報は地理的情報であり、学習者は進捗状況の把握とともに、地理の学習を楽しみながら行なうことができ、学習者の学習意欲を向上させることができる。
【００７９】
なお本実施の形態では、領域情報が順番の情報を含み、各学習者が対応付けられる所定領域を決める経路（駒を進める経路）が特定されていたが、経路の決定はこれに限られない。例えば、学習者の所定領域に隣接する領域（現在地の隣接都道府県）にいずれかを選択できるようにしてもよい。この場合、各学習者の駒の進み方が異なるため、学習者分布は、例えばヒストグラムの形式で表示する。すなわち横軸が年間獲得ポイント数、縦軸が人数のヒストグラムを表示する。また自己が属する位置もヒストグラム上に示す。これにより自己の学習の進捗状況を客観的に把握することができる。
【００８０】
なお本実施の形態では、年間の獲得ポイント数に応じて学習者の駒を進めるようにし、また当該獲得ポイントは年度毎に０にリセットするようにしている。このため、受講開始した年は受講開始日により獲得ポイントの差が生じるものの、年度が替わることで獲得ポイントの差が無くなり、学習意欲の低下を抑制することができる。なお受講開始日による獲得ポイント数の相違が大きすぎる場合もあり得る。このような場合、例えば同学年のうち、受講開始日が所定範囲内（例えば所定月数以内）の学習者のみの学習者分布を表示するようにしてもよい。このように学習者分布の表示範囲を限定することで、表示される学習者分布において、受講開始日に起因する獲得ポイント数の相違を減少させ、学習意欲の低下を抑制することができる。また、学習の進捗スピードに係る情報を学習者端末２に表示するようにしてもよい。例えば、「本日はｘ人を追い抜きました」等を進捗状況画面に表示するようにしてもよい。あるいは進捗スピードに係る情報として、獲得ポイント数（年間獲得ポイント及び月間獲得ポイントの少なくとも一方）の増加率を表示してもよい。このようにすることで学習意欲の低下を抑制することが可能である。
【００８１】
なお図６に示すホーム画面等に、学習者間等（保護者、運営者、講師含め）におけるメッセージ交換機能（いわゆるＳＮＳ機能）を設けてもよい。例えば「・・・の問題が難しかった。」等のコメントを入力し所定の宛先に送信する機能、「おめでとう」ボタン等で簡単に返事をする機能等を設けてもよい。当該機能により、学習者同士が共に学び合う環境をより醸成することができる。なおメッセージの宛先（閲覧者）は一人及び複数人（グループ）に設定でき、宛先は事前に友人として登録した学習者としてもよい。このようにすることで、友人同士が共に学び合う環境を醸成できる。また、同一の領域に対応付けられた複数の学習者のグループとしてもよい。この場合、進捗状況が同程度の学習者とメッセージを交換するため、共感性の高いメッセージを交換することができる。なおメッセージの宛先は上記に限られず、任意の学習者（例えば全学習者のグループ）を宛先としてもよい。なお、送信されたメッセージに対する返信は、上記の「おめでとう」ボタン、「いいね」ボタン等の返信ボタンによってのみ返信できるようにしてもよい。また、「これから勉強！」スタンプ、「今日もがんばるぞ」スタンプ等のメッセージスタンプでメッセージ交換可能としてもよい。このように返信ボタン及びメッセージスタンプのみによって返信可能となる制限を設けることにより、メッセージ交換が学習の妨げになることを防ぐことができる。また緩やかに他の学習者等とつながることができるため、他者の存在を意識でき、孤独感を低減することができる。
【００８２】
なお、図７に示す進捗状況画面のオブジェクト４６がユーザ操作により選択された場合、当該領域に対応付けられた学習者の人数と、当該領域の中における自己の順位が表示されてもよい。これにより学習者の現在の順位を把握することができ、学習者の競争意識を高めることにより学習意欲を向上させることができる。
【００８３】
なお、本実施の形態では、各領域が４７都道府県に対応付けられる場合を示したがこれに限られない。例えば各領域を、旧日本地図（戦国時代、江戸時代）の旧地名としてもよい。また米国地図の米国各州としてもよい。また、世界地図の各国としてもよい。また鉄道（Ｅｕｒｏｓｔａｒ、マレー鉄道、Ａｍｔｒａｋ）の駅名でもよい。あるいは、東海道、ルート６６等であってもよい。他にも周期表、星座、遺跡、ノーベル賞受賞者等であってもよい。
【００８４】
なお、学習者の学年に合わせて、各領域（双六のステージ）の内容を変更するようにしてもよい。例えば各領域を、小学１年生、小学２年生、小学３年生に対してそれぞれ、学習者の住む市町村、都道府県、及び世界各国としてもよい。また、生物の進化、食物連鎖、定点観測歴史めぐり（東京都日本橋の現在→２０年前→７０年前→１００年前等）としてもよい。あるいは、各領域が山地であってもよい。例えば高尾山→奥穂高→槍ヶ岳→冬富士等でもよい。
【００８５】
なお、本実施の形態では、学習者が学習アクションを行なった場合、サーバ制御部１３は、少なくとも１ポイントを該学習者に付与するとしたが、これに限られない。例えば通常より解答が困難な問題を出題し、所定時間内に全問解答できた場合に追加のポイント（以下、ボーナスポイントという。）を付与するようにしてもよい。あるいはスペシャル問題（特別に困難な問題等）に解答できた場合に、ボーナスポイントを付与するようにしてもよい。ボーナスポイントは、２ポイント以上であってもよい。またこの場合、ボーナスポイント取得者のみが進むことが可能な到達点を設けてもよい。すなわち、ゴールの領域（本実施の形態では北海道）のさらに１つ先の領域を設けてもよい。
【００８６】
なお、本実施の形態では、学習の進捗状況に応じてポイントを付与し、双六の形式で学習者の進捗状況を領域により示したがこれに限られない。ポイント数に応じて対象を取得する方式であってもよい。例えばポイント数に応じ、虫を虫かごに入れる、鉱物を宝物箱に入れることができる等であってもよい。また、上記同様、取得する対象の関連情報を表示し、当該関連情報を学習できるようにする。さらにボーナスポイントを取得した場合には、希少価値のある対象（絶滅危惧種等）を取得可能とするようにしてもよい。
【００８７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００８８】
１０  学習支援システム
１  サーバ
１１  サーバ通信部
１２  サーバ記憶部
１３  サーバ制御部
１４  バス
２  学習者端末
２１  端末通信部
２２  端末記憶部
２３  表示部
２４  入力部
２５  端末制御部
２６  バス
３０  各種メニュー
３１  学習メニュー
３２  メッセージ領域
３３  ポイント表示領域
４１  月間獲得ポイント情報
４２  年間獲得ポイント情報
４３  全体領域
４４  各領域
４５  プロット
４６  オブジェクト（駒）
４７、４７ｂ  関連情報
４８  ポイント情報
４９  ポップアップウィンドウ
【図１】
2017215911.tif 000003
【図２】
2017215911.tif 000004
【図３】
2017215911.tif 000005
【図４】
2017215911.tif 000006
【図５】
2017215911.tif 000007
【図６】
2017215911.tif 000008
【図７】
2017215911.tif 000009
【図８】
2017215911.tif 000010
【図９】
2017215911.tif 000011
【図１０】
2017215911.tif 000012
【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
ネットワークにより接続されたサーバと少なくとも一の学習者端末とを備えた学習支援システムであって、
前記サーバは、
各学習者の学習の進捗状況に基づき各学習者にポイントを付与し、各学習者に付与された前記ポイントに基づき、複数の領域に区分された全体領域の中の所定領域に各学習者を対応付け、学習者分布を決定する制御部と、
を備え、
前記少なくとも一の学習者端末は、
前記サーバから自己が対応付けられた前記所定領域及び前記学習者分布に係る情報を受信する通信部と、
前記情報に基づき、前記所定領域及び前記学習者分布を前記全体領域とともに表示する表示部と、
を備え、
前記表示部はさらに、前記所定領域に関連付けられた関連情報を表示し、
前記複数の領域には地名が対応付けられ、前記表示部は前記全体領域を地図により表示し、
前記関連情報は、地理的情報である、学習支援システム。
【請求項２】
ネットワークにより接続されたサーバと少なくとも一の学習者端末とを備えた学習支援システムであって、
前記サーバは、
各学習者の学習の進捗状況に基づき各学習者にポイントを付与し、各学習者に付与された前記ポイントに基づき、複数の領域に区分された全体領域の中の所定領域に各学習者を対応付け、学習者分布を決定する制御部と、
を備え、
前記少なくとも一の学習者端末は、
前記サーバから自己が対応付けられた前記所定領域及び前記学習者分布に係る情報を受信する通信部と、
前記情報に基づき、前記所定領域及び前記学習者分布を前記全体領域とともに表示する表示部と、
を備え、
前記表示部はさらに、ユーザが経由済みの領域に関連付けられた関連情報を表示する、学習支援システム。
【請求項３】
前記複数の領域は順番が対応付けられており、
前記制御部は、前記学習者が提出物を提出した場合に前記ポイントを該学習者に付与し、該学習者が所定量のポイントを獲得する毎に該学習者を次の順番の領域に前記学習者を対応付け、
前記表示部は、前記サーバから受信した前記ポイントに係る情報に基づき自己の保有するポイントを表示する、請求項１又は２に記載の学習支援システム。
【請求項４】
前記表示部は、第一所定期間に獲得した総ポイント及び、前記第一所定期間とは異なる第二所定期間に獲得した総ポイントを表示する、請求項３に記載の学習支援システム。
【請求項５】
前記表示部は、前記学習者分布を色彩により表示する、請求項１乃至４の何れか一項に記載の学習支援システム。
【請求項６】
前記少なくとも一の学習者端末は、前記複数の領域のうち前記所定領域を除くいずれかの領域に対するユーザ操作を受け付け、選択された領域がこれまで経由したことのある領域であるか否かを前記所定領域に係る情報に基づき判定し、経由済みの領域である場合は前記選択された領域に関連付けられた関連情報を前記表示部が表示することを特徴とする、請求項１乃至５のいずれか一項に記載の学習支援システム。
【請求項７】
前記表示部は、自己の受講開始日から所定範囲内の学習者のみの学習者分布を表示することを特徴とする、請求項１乃至６のいずれか一項に記載の学習支援システム。
【請求項８】
前記表示部は、学習の進捗スピードに係る情報を表示することを特徴とする、請求項１乃至７のいずれか一項に記載の学習支援システム。
【請求項９】
ネットワークにより接続されたサーバと少なくとも一の学習者端末とを備えた学習支援システムによる学習支援方法であって、
前記サーバが、
各学習者の学習の進捗状況に基づき各学習者にポイントを付与し、各学習者に付与された前記ポイントに基づき、複数の領域に区分された全体領域の中の所定領域に各学習者を対応付け、学習者分布を決定するステップと、
前記少なくとも一の学習者端末が、
前記サーバから自己が対応付けられた前記所定領域及び前記学習者分布に係る情報を受信するステップと、
前記情報に基づき、前記所定領域及び前記学習者分布を前記全体領域とともに表示するステップと、
を備え、
前記表示するステップにおいてさらに、前記所定領域に関連付けられた関連情報を表示し、
前記複数の領域には地名が対応付けられ、前記表示するステップにおいて、前記全体領域を地図により表示し、
前記関連情報は、地理的情報である、学習支援方法。
【請求項１０】
ネットワークにより接続されたサーバと少なくとも一の学習者端末とを備えた学習支援システムによる学習支援方法であって、
前記サーバが、
各学習者の学習の進捗状況に基づき各学習者にポイントを付与し、各学習者に付与された前記ポイントに基づき、複数の領域に区分された全体領域の中の所定領域に各学習者を対応付け、学習者分布を決定するステップと、
前記少なくとも一の学習者端末が、
前記サーバから自己が対応付けられた前記所定領域及び前記学習者分布に係る情報を受信するステップと、
前記情報に基づき、前記所定領域及び前記学習者分布を前記全体領域とともに表示するステップと、
を備え、
前記表示するステップにおいてさらに、ユーザが経由済みの領域に関連付けられた関連情報を表示する、学習支援方法。
【請求項１１】
ネットワークにより接続されたサーバと少なくとも一の学習者端末とを備えた学習支援システムにおけるサーバであって、
各学習者の学習の進捗状況に基づき前記学習者に付与するポイントに係るポイント情報を記憶する記憶部と、
各学習者に付与された前記ポイントに基づき、複数の領域に区分された全体領域の中の所定領域に各学習者を対応付け、学習者分布を決定する制御部と、
前記少なくとも一の学習者端末に、自己が対応付けられた前記所定領域及び前記学習者分布に係る情報を送信し、前記情報に基づき、前記所定領域及び前記学習者分布を前記全体領域とともに表示させる通信部と、
を備え、
前記所定領域に関連付けられた関連情報をさらに表示させ、前記複数の領域には地名が対応付けられ、前記全体領域を地図により表示させ、前記関連情報は地理的情報である、サーバ。
【請求項１２】
ネットワークにより接続されたサーバと少なくとも一の学習者端末とを備えた学習支援システムにおけるサーバであって、
各学習者の学習の進捗状況に基づき前記学習者に付与するポイントに係るポイント情報を記憶する記憶部と、
各学習者に付与された前記ポイントに基づき、複数の領域に区分された全体領域の中の所定領域に各学習者を対応付け、学習者分布を決定する制御部と、
前記少なくとも一の学習者端末に、自己が対応付けられた前記所定領域及び前記学習者分布に係る情報を送信し、前記情報に基づき、前記所定領域及び前記学習者分布を前記全体領域とともに表示させる通信部と、
を備え、
さらに、ユーザが経由済みの領域に関連付けられた関連情報を表示させる、サーバ。